(57)【要約】【課題】増幅部に設けられているボリュームやスイッチが設けられている面が増幅器ケースで隠れることを防止する。【解決手段】増幅部は略直方体状の第２ケース部４に収納される。この第２ケース部４の前面を構成している回転前面板４ｃは、その底面板に枢支部３４により枢支されて回転可能とされている。そこで、回転前面板４ｃを回転させると第２ケース部４の前面が開くようになり、第２ケース部４に収納されている増幅部の面が露出され、この面に設けられているボリュームやスイッチを操作することができるようになる。【選択図】  図７
2005032822.tif 000002
【特許請求の範囲】
【請求項１】
下面が閉じられて内部に収納空間を有する略直方体の形状とされ、該収納空間を形成している前面板の下部が底面板に対して回転可能に枢支されて前記前面板を回転させることにより前記収納空間の前面が開放可能とされており、前記収納空間に増幅部が収納可能とされている第２ケース部と、
該第２ケース部の後面に嵌着できるよう断面が略コの字状に形成され、嵌着された際に前記第２ケース部に対して上下に摺動可能とされる摺動手段が形成されていると共に、前記増幅器に電源を供給する電源部を着脱可能に保持する保持手段が形成されている第１ケース部と、
該第１ケース部の上部に回転可能に支持されて、前記第１ケース部の上面および前面を覆うように開閉自在とされ、閉じた際に前記第２ケース部に間隔を置いて上下に形成されている係合手段のいずれかに係合する係止手段が形成されている蓋部とからなり、
前記第１ケース部に前記電源部を収納した際には、前記蓋部を閉じた際に前記係止手段が、前記第２ケース部の上側に形成されている前記係合手段に係合され、前記第１ケース部から前記電源部を取り外した際には、前記第１ケース部を前記第２ケース部方向に摺動させて収縮させることにより、前記係止手段が前記第２ケース部の下側に形成されている前記係合手段に係合されて、前記電源部の収納空間をなくすことができるようにしたことを特徴とする増幅器ケース。
【請求項２】
前記第１ケース部に前記電源部を収納した際には、前記蓋部を閉じた際に前記係止手段が、前記第２ケース部の前記前面板の上部に形成されている前記係合手段に係合されると共に、前記第１ケース部における後面板の下部に形成されている第２係止手段が、前記第２ケース部における後面板の所定位置に形成されている第１係合凹部に係合されるようにしたことを特徴とする請求項１記載の増幅器ケース。
【請求項３】
前記第１ケース部から前記電源部を取り外した際には、前記第１ケース部を前記第２ケース部方向に摺動させて収縮させることにより、前記係止手段が前記第２ケース部の前記底面板の前部に形成されている前記係合手段に係合されると共に、前記第１ケース部における後面板の下部に形成されている第２係止手段が、前記第２ケース部における後面板の下部に形成されている第２係合凹部に係合されるようにしたことを特徴とする請求項１記載の増幅器ケース。
【発明の詳細な説明】
【０００１】
【発明の属する技術分野】
本発明は、ＣＡＴＶ信号を増幅する増幅器が収納される増幅器ケースに関するものである。
【０００２】
【従来の技術】
従来、ＣＡＴＶシステムからＣＡＴＶ信号を建物の屋内に導入する際には、図１７に一例を示すようにＣＡＴＶライン１００により伝送しているＣＡＴＶ信号を分岐器１０１により分岐し、建物の外壁に取り付けた増幅器１０２に供給する。そして、増幅器１０２により増幅した後、同軸ケーブルにより建物内に導入し、分配器１０３により例えば２分配してテレビジョン受像機（ＴＶ）に供給している。増幅器１０２は、分配器１０３等によるＣＡＴＶ信号のレベル低下を補うものであり、増幅器ケースに収納されている。また、この増幅器ケース内には増幅器１０２に電源を供給する電源部も収納されている。電源部は、商用交流電源（ＡＣ１００Ｖ）で動作するようにされている。
【０００３】
また、ＣＡＴＶシステムからＣＡＴＶ信号を建物の屋内に導入する際の他の構成を図１８に示す。この例では、増幅器１０２に供給する電源部を増幅器ケース内に収納することに代えて、建物の屋内にて同軸ケーブルの途中に電源部１０４を設置している。そして、電源部１０４においてＡＣ１００Ｖの商用交流電源を例えば＋１５Ｖの直流電源に変換して同軸ケーブルにより増幅器１０２に供給している。この構成では、屋外にＡＣ１００Ｖのコンセントを設けることを不要とすることができる。
【０００４】
このように、ＣＡＴＶ信号を導入する際に、ＣＡＴＶ信号を増幅する増幅器１０２に電源を供給する構成が２種類存在している。すなわち、図１７に示したように増幅器１０２の増幅器ケース内に内蔵した電源部を用いてＡＣ１００Ｖで動作させる構成と、図１８に示したように増幅器１０２から離れた場所（屋内）に電源部１０４を設け、この電源部１０４においてＡＣ１００Ｖを直流電源に変換し、ＣＡＴＶ信号が供給される同軸ケーブルを利用して増幅器１０２に電源を供給する構成とのいずれかが用いられている。図１８に示す構成は、前述したように屋外にＡＣ１００Ｖのコンセントがない場合に採用される。
【０００５】
従って、ＣＡＴＶ用増幅器を提供するメーカは、増幅器ケースに電源部も内蔵されているタイプと、増幅器のみを内蔵する増幅器ケースと、電源部とに分離されているタイプとの２タイプを用意しなければならないことになる。また、ＣＡＴＶ工事を行う工事業者も同様であり、このため、在庫管理等の必要性から高コストになるという問題点があった。また、工事業者は現場対応となるため２タイプの増幅器を現場に搬入しておかなければならず、部材の確認など作業が煩雑になるという問題点があった。
【０００６】
これを解決するために、増幅器ケース内に電源部を脱着可能に収納できるようにした増幅器が提案（例えば、特許文献１参照）されている。この増幅器では、屋外にＡＣ１００Ｖの供給源がある場合は、増幅器ケース内に電源部を収納した状態として図１７に示すような構成とすることができ、屋外にＡＣ１００Ｖの供給源がない場合は、増幅器ケース内から電源部を取り出して屋内に設置する図１８に示すような構成とすることができる。この場合、電源部には同軸ケーブルを接続することができる信号入力端子と信号出力端子が設けられると共に、増幅器にも信号入力端子と信号出力端子とが設けられている。そして、増幅器の信号出力端子は電源入力端子を兼用していると共に、電源部の信号入力端子は電源出力端子を兼用している。そこで、増幅器から電源部を分離して使用する際には、増幅器の信号出力端子と電源部の信号入力端子とを同軸ケーブルで接続することにより、増幅器に電源部から電源を供給することができるようになる。なお、電源部に入力されたＣＡＴＶ信号は、そのまま信号出力端子から出力される。
【０００７】
【特許文献１】
特許第３２３９１０５号
【０００８】
【発明が解決しようとする課題】
このような、従来の増幅器ケースにおいては増幅器ケースから電源部を取り出した際には、電源部を取り出した後の使用することのない収納空間ができることになり、無駄な収納空間が生じるという問題点があった。そこで、これを解決できるようにした増幅器ケースを本出願人は特願２００３−３７７８３として出願している。この先願の増幅器ケースは、上面が開放されて内部に収納空間を有する略直方体の形状とされ、前記収納空間に増幅器が収納可能とされている第２ケース部と、該第２ケース部の後面に嵌着できるよう断面が略コの字状に形成され、嵌着された際に前記第２ケース部に対して上下に摺動可能とされる摺動手段が形成されていると共に、前記増幅器に電源を供給する電源部を着脱可能に保持する保持手段が形成されている第１ケース部と、該第１ケース部の上部に回転可能に支持されて、前記第１ケース部の上面および前面を覆うように開閉自在とされ、閉じた際に前記第２ケース部に間隔を置いて上下に形成されている被係合手段のいずれかに係合する係合手段が形成されている蓋部とからなり、前記第１ケース部に前記電源部を収納した際には、前記蓋部を閉じた際に前記係合手段が、前記第２ケース部の上側に形成されている前記被係合手段に係合され、前記第１ケース部から前記電源部を取り外した際には、前記第１ケース部を前記第２ケース部方向に摺動させて収縮させることにより、前記係合手段が前記第２ケース部の下側に形成されている前記被係合手段に係合されて、前記電源部の収納空間をなくすことができるようにされている。
【０００９】
しかしながら、先願の増幅器ケースにおいては第１ケース部を前記第２ケース部方向に摺動させて縮納させるために、蓋部の長さを短くしてその代わりに増幅器を収納する第２ケース部を前面を閉じた直方体の形状としていた。このため、増幅器ケースに増幅器を収納した状態では、増幅器に設けられているボリュームやスイッチが設けられている面が第２ケース部の前面板で隠れてしまい、ボリュームやスイッチの操作をすることができなくなるという問題点があった。これを解決するために、第２ケース部の前面板で隠れてしまわない位置にボリュームやスイッチを配置することが考えられるが、これではボリュームやスイッチの位置が制限されてしまうことから増幅器の設計の自由度が奪われてしまうという問題点が生じることになる。
【００１０】
そこで、本発明は、増幅部に設けられているボリュームやスイッチが設けられている面が増幅器ケースで隠れることのない増幅器ケースを提供することを目的としている。
【００１１】
【課題を解決するための手段】
上記目的を達成するために、本発明の増幅器ケースは、下面が閉じられて内部に収納空間を有する略直方体の形状とされ、該収納空間を形成している前面板の下部が底面板に対して回転可能に枢支されて前記前面板を回転させることにより前記収納空間の前面が開放可能とされており、前記収納空間に増幅部が収納可能とされている第２ケース部と、該第２ケース部の後面に嵌着できるよう断面が略コの字状に形成され、嵌着された際に前記第２ケース部に対して上下に摺動可能とされる摺動手段が形成されていると共に、前記増幅器に電源を供給する電源部を着脱可能に保持する保持手段が形成されている第１ケース部と、該第１ケース部の上部に回転可能に支持されて、前記第１ケース部の上面および前面を覆うように開閉自在とされ、閉じた際に前記第２ケース部に間隔を置いて上下に形成されている係合手段のいずれかに係合する係止手段が形成されている蓋部とからなり、前記第１ケース部に前記電源部を収納した際には、前記蓋部を閉じた際に前記係止手段が、前記第２ケース部の上側に形成されている前記係合手段に係合され、前記第１ケース部から前記電源部を取り外した際には、前記第１ケース部を前記第２ケース部方向に摺動させて収縮させることにより、前記係止手段が前記第２ケース部の下側に形成されている前記係合手段に係合されて、前記電源部の収納空間をなくすことができるようにようにしている。
【００１２】
また、上記本発明の増幅器ケースにおいて、前記第１ケース部に前記電源部を収納した際には、前記蓋部を閉じた際に前記係止手段が、前記第２ケース部の前記前面板の上部に形成されている前記係合手段に係合されると共に、前記第１ケース部における後面板の下部に形成されている第２係止手段が、前記第２ケース部における後面板の所定位置に形成されている第１係合凹部に係合されるようにしてもよい。
さらに、上記本発明の増幅器ケースにおいて、前記第１ケース部から前記電源部を取り外した際には、前記第１ケース部を前記第２ケース部方向に摺動させて収縮させることにより、前記係止手段が前記第２ケース部の前記底面板の前部に形成されている前記係合手段に係合されると共に、前記第１ケース部における後面板の下部に形成されている第２係止手段が、前記第２ケース部における後面板の下部に形成されている第２係合凹部に係合されるようにしてもよい。
【００１３】
このような本発明によれば、電源部の増幅器ケース内への収納あるいは取り出しに応じて、無駄な収納空間が生じないよう第１ケース部を第２ケース部に対して摺動可能としても、第２ケース部の前面板を回転させることにより増幅部の収納空間の前面を開放することができるようになる。これにより、増幅部に設けられているボリュームやスイッチが設けられている面を露出して、ボリュームやスイッチの操作をすることができるようになる。従って、増幅部におけるボリュームやスイッチを任意の位置に配置することができるので、設計の自由度が奪われることを防止することができるようになる。また、無駄な収納空間が生じることを防止して、コンパクトなケースとすることができる。
【００１４】
【発明の実施の形態】
本発明の実施の形態の増幅器ケースの全体構成を図１ないし図４に示す。ただし、図１は電源部を収納した増幅器ケースの構成を示す正面図であり、図２はその構成を断面で示す側面図であり、図３は電源部を取り出した増幅器ケースの構成を示す正面図であり、図４はその構成を断面で示す側面図である。
これらの図に示すように、増幅器ケース１は断面がコの字状の第１ケース部３と、第１ケース部３が上下方向に摺動可能に嵌着している下面が閉じた略直方体状の第２ケース部４と、第１ケース部３と第２ケース部４の上面および前面を覆うように蓋をすることのできる蓋部２とから構成されている。直方体状の第２ケース部４において、その前面板は回転前面板４ｃとされて第２ケース部４の底面板４ｄに枢支部３４により回転可能に枢支されている。
【００１５】
増幅器ケース１における第２ケース部４内には増幅部５１が収納されていると共に、電源部４０が着脱可能に増幅器ケース１内に収納可能とされている。蓋部２の上部には両側に一対の回転支持部８が形成されており、この回転支持部８により蓋部２は、第１ケース部３の上部に開閉可能に支持されている。この蓋部２を開けた際に増幅器ケース１に、後述するように電源部４０を取り付けあるいは取り出すことができるようにされている。また、電源部４０を取り出した際には、第１ケース部３を第２ケース部４に対して下方へ摺動することにより、増幅器ケース１の高さを縮めてコンパクトになるようにされている。この状態が図３および図４に示されており、増幅器ケース１内における無駄な収納空間をなくしてコンパクトにすることができるようになる。
【００１６】
図１ないし図２に示す電源部４０を収納した増幅器ケース１の構成について説明すると、増幅器ケース１における第２ケース部４内には増幅部５１が収納されている。増幅部５１の下部から突出するよう下り信号が入力され上り信号が出力される信号入出力端子５と、下り信号が出力され上り信号が入力される信号入出力端子６とが設けられている。また、増幅部５１の上部には図示していないが増幅部５１に電源を供給する電源入力端子５２が突出しないように設けられている。この増幅部５１の上側に収納される電源部４０の下部からは、後述するように増幅部５１で増幅された下り信号が入力され上り信号が出力されると共に電源が出力される信号入出力端子／電源出力端子４２と、増幅部５１で増幅された下り信号が出力され上り信号が入力される信号入出力端子４３とが突出するよう設けられている。また、下部からは電源ケーブル７が導出されている。この電源ケーブル７は、第２ケース部４の前面板に形成されている挿通溝３７に収納することができ、挿通溝３７を通って外部へ導出される。
【００１７】
第２ケース部４の底面板４ｄから突出するように４つの円筒状突出部３６が形成されている。そして、増幅部５１を第２ケース部４内に収納した際に、増幅部５１から突出するよう設けられている信号入出力端子５および信号入出力端子６が円筒状突出部３６内に収納されるようになる。この場合、信号入出力端子５および信号入出力端子６を増幅部５１に固着している六角ナットが円筒状突出部３６内に密着して収納される。この六角ナットの最大径は、円筒状突出部３６の内径とほぼ等しくされていることから、増幅部５１を第２ケース部４内に組み込んだ際に両者の間のガタツキを防止することができる。なお、六角ナットの厚みを厚くすることにより、より一層ガタツキを防止することができると共に、増幅部５１の第２ケース部４に対する保持力を向上することができるようになる。
【００１８】
次に、図３および図４に示す電源部４０を取り去った増幅器ケース１の構成について説明すると、増幅器ケース１における第２ケース部４内には増幅部５１のみが収納されるようになる。増幅部５１の下部からは下り信号が入力され上り信号が出力される信号入出力端子５と、下り信号が出力され上り信号が入力される信号入出力端子６とが設けられている。この信号入出力端子６には、増幅器ケース１から取り去られて屋内等に設置された電源部４０における信号入出力端子／電源出力端子４２が同軸ケーブルを介して接続されており、電源部４０から動作用の電源も供給されている。この場合、電源部４０の信号入出力端子４３からは、増幅部５１で増幅された下り信号が出力されると共に上り信号が入力されるようになる。
【００１９】
ここで、電源部４０を増幅器ケース１内に収納する工程を図８を参照して説明する。図８に示すように、蓋部２のほぼ中央先端に屈曲されて形成されている摘子１５を指にかけて蓋部２を開け、第１ケース部３を第２ケース部４に対して伸長した状態とする。そして、増幅器ケース１内に生じた上部の空間に電源部４０を矢印で示すように収納し、電源部４０を第１ケース部３の後面板に押しつけながら矢印で示すように下方へ移動させる。これにより、電源部４０の信号入出力端子／電源出力端子４２が増幅部５１の上面に設けられている後述する電源入力端子５２に上から挿入されて接続され、電源部４０の信号入出力端子／電源出力端子４２および増幅部５１の電源入力端子５２を介して、電源が増幅部５１に供給されるようになる。この状態が図９に示す状態であり、電源部４０の両側面に一対ずつ形成されている突部４１が第１ケース部３の側面板に形成されている押さえリブ２４に係合するようになって、電源部４０は機械的に第１ケース部３に固着される。
【００２０】
また、電源部４０を増幅器ケース１内から取り外すには、図８に示す電源部４０を収納する工程を説明する図において、電源部４０を第１ケース部３の後面板に沿って矢印と逆方向の上側へ移動させる。これにより、電源部４０の信号入出力端子／電源出力端子４２が増幅部５１の電源入力端子５２から離脱すると共に、突部４１が押さえリブ２４から離脱するようになり、その間の電気的・機械的な接続が断たれるようになる。次いで、矢印と逆方向の前方へ電源部４０を引き出すことにより、電源部４０を取り外すことができる。そして、第１ケース部３を第２ケース部４に対して収縮させて、蓋部２を閉じることにより図３および図４に示す状態とすることができる。この場合は、外部に置いた電源部４０の信号入出力端子／電源出力端子４２を同軸ケーブルを介して増幅部５１の信号入出力端子６に接続することにより、同軸ケーブルおよび信号入出力端子６を介して、電源が増幅部５１に供給されるようになる。
【００２１】
このように、電源部４０を取り外した際にはコンパクトにすることのできる本発明にかかる増幅器ケース１における増幅部５１と電源部４０との使用態様を、図５に示す回路構成を参照して説明する。
増幅部５１において、信号入出力端子５に入力された下りの信号はコンデンサＣ１を介して双方向増幅器である増幅回路５１ａに供給され所定レベルとなるように増幅される。増幅回路５１ａにより増幅された下りの信号はコンデンサＣ２を介して信号入出力端子６から出力される。また、信号入出力端子６に入力された上りの信号はコンデンサＣ２を介して双方向の増幅回路５１ａに供給され所定レベルとなるように増幅される。増幅回路５１ａにより増幅された上りの信号はコンデンサＣ１を介して信号入出力端子５から出力される。増幅回路５１ａには電源部４０から直流電源が供給されている。
【００２２】
電源部４０においては、供給されたＡＣ１００Ｖを所定の直流電圧、例えば＋１５Ｖに変換する電源回路４０ａを備えており、電源回路４０ａから出力される直流電源はコイルＬ２を介して信号入出力端子／電源出力端子４２から出力される。また、信号入出力端子／電源出力端子４２から入力された下りの信号は、コイルＬ２のインピーダンスにより電源回路４０ａ側へは伝達されず、コンデンサＣ３を介して信号入出力端子４３から出力される。さらに、信号入出力端子４３から入力された上りの信号は、コンデンサＣ３を通過するがコイルＬ２のインピーダンスにより電源回路４０ａ側へは伝達されず信号入出力端子／電源出力端子４２から出力される。
【００２３】
ここで、電源部４０が増幅器ケース１内に収納されている場合は、点線で示す経路ａのように信号入出力端子／電源出力端子４２は電源入力端子５２に接続される。この場合は、信号入出力端子／電源出力端子４２から出力された直流電源は増幅部５１の電源入力端子５２に供給され、直流電源は増幅回路５１ａに供給される。なお、信号入出力端子６側へはダイオードＤ１により阻止されて直流電源は供給されない。これにより、増幅器ケース１内に収納されている電源部４０から増幅部５１へ電源が供給されるようになる。この場合は、信号入出力端子５に入力された下りの信号は、前述したようにコンデンサＣ１を介して増幅回路５１ａで増幅され、コンデンサＣ２を通過するがコイルＬ１のインピーダンスにより阻止されて信号入出力端子６から出力される。そして、信号入出力端子６に接続されている同軸ケーブルを介してセットトップボックス等へ供給される。また、セットトップボックス等から同軸ケーブルを介して信号入出力端子６に入力された上りの信号は、コイルＬ１のインピーダンスにより阻止され、コンデンサＣ２を介して増幅回路５１ａに供給されて増幅され、コンデンサＣ１を介して信号入出力端子５から出力される。
【００２４】
また、電源部４０が分離されて増幅器ケース１とは離れたところに設置される場合は、点線で示す経路ｂのように信号入出力端子／電源出力端子４２は増幅部５１の信号入出力端子６に同軸ケーブルにより接続される。この場合は、信号入出力端子／電源出力端子４２から出力された直流電源は増幅部５１の信号入出力端子６に供給され、直流電源はコンデンサＣ２により阻止されて、コイルＬ１およびダイオードＤ１を介して増幅回路５１ａに供給される。これにより、増幅器ケース１と離れたところに設定されている電源部４０から増幅部５１へ電源が供給されるようになる。なお、信号入出力端子５に入力された下りの信号は、前述したようにコンデンサＣ１を介して増幅回路５１ａで増幅され、コンデンサＣ２を通過するがコイルＬ１のインピーダンスにより阻止されて信号入出力端子６から出力される。
【００２５】
そして、同軸ケーブルを介して電源部４０の信号入出力端子／電源出力端子４２に下りの信号が入力され、前述したようにコイルＬ２のインピーダンスにより阻止されてコンデンサＣ３を介して信号入出力端子４３から出力され、同軸ケーブルを介してセットトップボックス等へ供給される。さらに、セットトップボックス等から電源部４０の信号入出力端子４３に入力された上りの信号は、コンデンサＣ３を通過するが、コイルＬ２のインピーダンスにより阻止されて信号入出力端子／電源出力端子４２から出力される。そして、同軸ケーブルを介して信号入出力端子６に供給される。この上りの信号はコイルＬ１のインピーダンスにより阻止され、コンデンサＣ２を介して増幅回路５１ａに供給されて増幅され、コンデンサＣ１を介して信号入出力端子５から出力される。
【００２６】
次に、本発明にかかる増幅器ケース１から電源部４０および増幅部５１を取り去った増幅器ケース１のみの構成を図６および図７に示す。ただし、図６は増幅器ケース１の蓋部２を開いた場合の構成を示す側面図であり、図７は蓋部２および回転前面板４ｃを開いた場合の増幅器ケース１の構成を示す側面図である。
これらの図に示すように、蓋部２の両側の上部から後方に延伸している一対の延伸部１１ａの先端部には軸孔１２ａが形成されており、この軸孔１２ａに第１ケース部３における両側の側面板２１の上部にそれぞれ形成されている軸が嵌挿されて、蓋部２が第１ケース部３に回転可能に支持されている。蓋部２を閉じた際には凹部１３が形成されて板厚が薄くされた縁部が、側面板２１の前縁に形成されている溝内に挿入されて水密に閉じることができるようにされている。なお、蓋部２を開ける際には前面部１１の先端に形成されている摘子１５に指をかけることにより容易に蓋部２を開けることができる。
【００２７】
第１ケース部３は、第２ケース部４における両側の側面板４ｂにそれぞれ形成されている摺動溝３９を摺動可能な後述する係合手段を備えており、摺動溝３９を摺動させていくことにより第１ケース部３を第２ケース部４に対して縮めたり伸ばしたりすることができるようになる。そして、第１ケース部３を第２ケース部４に対して伸長した場合は、第１ケース部３が備える係合手段が摺動溝３９のほぼ上端に形成されている第１係合突起３９ａに係合し、第１ケース部３を第２ケース部４に対して縮納した場合は、第１ケース部３が備える係合手段が摺動溝３９のほぼ下端に形成されている第２係合突起３９ｂに係合するようになる。第２ケース部４には前記したように増幅部５１を収納する下面が閉じた略直方体状とされており、第２ケース部４を構成する前面板は回転前面板４ｃとされて第２ケース部４の底面板４ｄに枢支部３４により回転可能に枢支されている。枢支部３４は、底面板４ｄの下面から突出して形成された回転軸と、この回転軸に嵌着されて回転可能とされる回転前面板４ｃの下端から突出して形成されている保持部とから構成されている。図７に示す矢印のように、この回転前面板４ｃを回転させることにより第２ケース部４の前面が開けられて、第２ケース部４内に収納されている増幅部５１の前面が開放され、前面に設けられているボリュームやスイッチを操作することができるようになる。
【００２８】
このような構成の本発明にかかる増幅器ケース１において、第２ケース部４に増幅部５１を収納し、次いで増幅部５１の上に電源部４０を収納する様子が図８に示されている。図８の説明は上述したとおりであるので、その説明は省略するが、図８に示す工程により増幅器ケース１内に増幅部５１および電源部４０を収納した状態が図９に示されている。収納状態においては図９に示すように、電源部４０の両側面に形成されている突部４１が第１ケース部３における両側の側面板２１の内面に形成されているＬ字状の押さえリブ２４で係止されることにより、電源部４０が第１ケース部３に保持される。この状態において、蓋部２を閉じると、蓋部２の先端内側に突出するよう形成されている第１係止片１４が、第２ケース部４における回転前面板４ｃの上部に形成されている第１係合片３１に係合し、図１および図２に示す状態となる。
【００２９】
次に、第１ケース部３を摺動自在に第２ケース部４に支持させることにより、増幅器ケース１において電源部４０の収納空間をなくすようにした構成を図１０ないし図１３を参照しながら説明する。ただし、図１０は第１ケース部３を伸長した際の第２ケース部４との結合関係を示す側面図およびその一部を断面図で示す正面図であり、図１１はその裏面図である。また、図１２は第１ケース部３を縮納した際の第２ケース部４との結合関係を示す側面図およびその一部を断面図で示す正面図であり、図１３はその裏面図である。
これらの図に示すように、第１ケース部３の側面板２１の内面から突出して形成された一列に並んだ一対とされる第１係合凸部２２と第２係合凸部２３とが、両側の側面板２１にそれぞれ形成されている。第１係合凸部２２と第２係合凸部２３とは、第２ケース部４の側面板４ｂに縦長に形成されている摺動溝３９に対応した位置に形成されて、摺動溝３９内に摺動可能に係合している。また、図１１に示すように第１ケース部３の後面板２０の下部には一対の第２係止片２５が形成されている。この第２係止片２５は弾性を有するように、その両側に切り込みが設けられており、図示されていないが内側に向かう突起が先端に形成されている。また、第２ケース部４の後面板４ａには一対の第２係止片２５に対向する間隔の一対の係合凹部３５が上下にそれぞれ一組ずつ形成されている。
【００３０】
そして、第１係合凸部２２と第２係合凸部２３とを摺動溝３９内を摺動させながら、第１ケース部３を第２ケース部４に対して伸長させていくと、側面板２１の上部に形成されている第２係合凸部２３が、摺動溝３９内の上部に形成されている第１係合突起３９ａを乗り越えて摺動溝３９の上端に係止されるようになる。また、第１ケース部３の後面板２０に形成されている一対の第２係止片２５が第２ケース部４の後面板４ａの上側に形成されている一対の係合凹部３５に係合する（図１１においては、係合している係合凹部３５は第２係止片２５により隠れて図示されていない）。この状態が、図１０および図１１に示す第１ケース部３を第２ケース部４に対して伸長させて、電源部４０の収納空間を確保した状態となる。
【００３１】
また、第１係合凸部２２と第２係合凸部２３とを摺動溝３９内を摺動させながら、第１ケース部３を第２ケース部４に対して縮納させていくと、側面板２１の下部に形成されている第１係合凸部２２が、摺動溝３９内の下部に形成されている第２係合突起３９ｂを乗り越えて摺動溝３９の下端に係止されるようになる。また、第１ケース部３の後面板２０に形成されている一対の第２係止片２５が第２ケース部４の後面板４ａの下側に形成されている一対の係合凹部３５に係合する（図１３においては、係合している係合凹部３５は第２係止片２５により隠れて図示されていない）。この状態が、図１２（ａ）（ｂ）および図１３に示す第１ケース部３を第２ケース部４に対して縮納させて、電源部４０の収納空間をなくした状態となる。
【００３２】
なお、第１ケース部３を第２ケース部４に対して伸長させた際に第１ケース部３にある程度の縮納力を加えても、第２係合凸部２３と第１係合突起３９ａとの係合作用および第２係止片２５と係合凹部３５との係合作用により、第１ケース部３は第２ケース部４に対してそのままの状態を保持するようになる。また、第１ケース部３を第２ケース部４に対して縮納させた際に第１ケース部３にある程度の伸長力を加えても、第１係合凸部２２と第２係合突起３９ｂとの係合作用および第２係止片２５と係合凹部３５との係合作用により、第１ケース部３は第２ケース部４に対してそのままの状態を保持するようになる。
【００３３】
次に、電源部４０の構成を図１４ないし図１６に示す。ただし、図１４は電源部４０の構成を示す正面図であり、図１５は電源部４０の構成を示す下面図であり、図１６は電源部４０の構成を示す側面図である。
これらの図に示すように電源部４０は、細長い直方体状とされており両側面からそれぞれ一対の突部４１が突出するよう形成されている。突部４１の断面形状は縦方向に細長い矩形状とされている。また、電源部４０の下面からは信号入力端子／電源出力端子４２と信号出力端子４３とが突出するよう設けられている。この信号入力端子／電源出力端子４２と信号出力端子４３とは同軸コネクタにより構成されており、同軸ケーブルの先端に設けられている同軸プラグが装着できるようにされている。さらに、電源部４０の下部からは電源ケーブル７が導出されていると共に、本体部の下面の後端部の両側から下方へ突出する一対の位置決め片４４が形成されている。この位置決め片４４の先端に細長い溝が形成されており、この溝が第２ケース部４の後面板４ａの内側に形成されている第１リブ３３の先端の切溝３３ａ（図６、図７参照）に確実に係止するようになる。また、電源部４０を増幅器ケース１から取り外して使用する場合には、位置決め片４４が取付部になる。すなわち、位置決め片４４の先端の溝内に取り付けネジを挿入して被取付体に螺着することにより、電源部４０を被取付体である壁面等に固着することができるようになる。
【００３４】
以上説明した本発明にかかる増幅器ケース１を構成している蓋部２、第１ケース部３および第２ケース部４は合成樹脂製とされ樹脂成形により作成されている。また、これに限ることはなく本発明にかかる増幅器ケース１を、合成樹脂成形により作成することに替えて、アルミダイキャスト製としてもよい。さらに、増幅部５１はシールドケースに入れられており増幅部５１が備える信号入出力端子５，６およびモールドされている電源部４０が備える信号入出力端子／電源出力端子４２、信号入出力端子４３は、例えばＦ型同軸接栓とすることができるが、これに限るものではなく種々の種類の同軸接栓とすることができる。さらに、増幅部５１あるいは電源部４０に入力される下りの信号および上りの信号は、例えばＣＡＴＶ信号やインターネットの信号とすることができる。さらにまた、本発明にかかる増幅器ケース１では増幅器を収納するようにしていたが、増幅器に限るものではなく電源を必要とする能動機器ならばいずれの能動機器のケースにでも、本発明の増幅器ケースを適用することができる。
【００３５】
【発明の効果】
上記したように本発明の増幅器ケースは、電源部の増幅器ケース内への収納あるいは取り出しに応じて、無駄な収納空間が生じないよう第１ケース部を第２ケース部に対して摺動可能としても、第２ケース部の前面板を回転させることにより増幅部の収納空間の前面を開放することができるようになる。これにより、増幅部に設けられているボリュームやスイッチが設けられている面を露出して、ボリュームやスイッチの操作をすることができるようになる。従って、増幅部におけるボリュームやスイッチを任意の位置に配置することができるので、設計の自由度が奪われることを防止することができるようになる。また、無駄な収納空間が生じることを防止して、コンパクトなケースとすることができる。
【図面の簡単な説明】
【図１】本発明の実施の形態の増幅器ケースに電源部を収納した場合の全体構成を示す正面図である。
【図２】本発明の実施の形態の増幅器ケースに電源部を収納した場合の全体構成を示す側面図である。
【図３】本発明の実施の形態の増幅器ケースに電源部を取り外した場合の全体構成を示す正面図である。
【図４】本発明の実施の形態の増幅器ケースに電源部を取り外した場合の全体構成を示す側面図である。
【図５】本発明の実施の形態にかかる増幅器ケースに収納され増幅部と電源部の回路構成を示す図である。
【図６】本発明の実施の形態の増幅器ケースにおいて蓋部を開いた場合の構成を示す側面図である。
【図７】本発明の実施の形態の増幅器ケースにおいて蓋部および回転前面板を開いた場合の構成を示す側面図である。
【図８】本発明の実施の形態にかかる増幅器ケースに電源部を収納する工程を示す図である。
【図９】本発明の実施の形態にかかる増幅器ケースに増幅部と電源部とを収納した状態を示す図である。
【図１０】本発明の実施の形態にかかる増幅器ケースにおいて、第１ケースと第２ケースとの伸長状態を説明するための側面図および正面図である。
【図１１】本発明の実施の形態にかかる増幅器ケースにおいて、第１ケースと第２ケースとの伸長状態を説明するための裏面図である。
【図１２】本発明の実施の形態にかかる増幅器ケースにおいて、第１ケースと第２ケースとの縮納状態を説明するための側面図および正面図である。
【図１３】本発明の実施の形態にかかる増幅器ケースにおいて、第１ケースと第２ケースとの縮納状態を説明するための裏面図である。
【図１４】本発明の実施の形態にかかる増幅器ケースにおける電源部の構成を示す正面図である。
【図１５】本発明の実施の形態にかかる増幅器ケースにおける電源部の構成を示す下面図である。
【図１６】本発明の実施の形態にかかる増幅器ケースにおける電源部の構成を示す側面図である。
【図１７】ＣＡＴＶシステムからＣＡＴＶ信号を建物の屋内に導入する際の第１の態様を示す図である。
【図１８】ＣＡＴＶシステムからＣＡＴＶ信号を建物の屋内に導入する際の第２の態様を示す図である。
【符号の説明】
１  増幅器ケース、２  蓋部、３  第１ケース部、４  第２ケース部、４ａ  後面板、４ｂ  側面板、４ｃ  回転前面板、４ｄ  底面板、５  信号入出力端子、６  信号入出力端子、７  電源ケーブル、８  回転支持部、１１  前面部、１１ａ  延伸部、１２  上面部、１２ａ  軸孔、１３  凹部、１４  第１係止片、１５  摘子、２０  後面板、２１  側面板、２２  第１係合凸部、２３  第２係合凸部、２４  押さえリブ、２５  第２係止片、３１  第１係合片、３２  第２係合片、３３  第１リブ、３３ａ  切溝、３４  枢支部、３５  係合凹部、３６  円筒状突出部、３７  挿通溝、３９  摺動溝、３９ａ  第１係合突起、３９ｂ  第２係合突起、４０  電源部、４０ａ  電源回路、４１  突部、４２  電源出力端子／電源出力端子、４３  信号入出力端子、４３  信号出力端子、４４  位置決め片、５１  増幅部、５１ａ  増幅回路、５２  電源入力端子、１００  ライン、１０１  分岐器、１０２  増幅器、１０３  分配器、１０４  電源部
【図１】
2005032822.tif 000003
【図２】
2005032822.tif 000004
【図３】
2005032822.tif 000005
【図４】
2005032822.tif 000006
【図５】
2005032822.tif 000007
【図６】
2005032822.tif 000008
【図７】
2005032822.tif 000009
【図８】
2005032822.tif 000010
【図９】
2005032822.tif 000011
【図１０】
2005032822.tif 000012
【図１１】
2005032822.tif 000013
【図１２】
2005032822.tif 000014
【図１３】
2005032822.tif 000015
【図１４】
2005032822.tif 000016
【図１５】
2005032822.tif 000017
【図１６】
2005032822.tif 000018
【図１７】
2005032822.tif 000019
【図１８】
2005032822.tif 000020